(57)【要約】【課題】容器本体内の化粧料に浸すことにより塗布体に付着させた化粧料を最大限余すことなく使用できるようにする。【解決手段】柄１１及び膨張可能な領域（正面２１）を備える塗布体２０Ａを有する化粧料Ａの塗布具１０Ａであって、塗布体２０Ａ内部に流体Ｂを有し、塗布体２０Ａ内の流体Ｂを押圧する加圧機構４０を有する。加圧機構４０としては、例えばジャバラ式押圧部４１を設ける。【選択図】図１Ａ
2017042299.tif 000002
【特許請求の範囲】
【請求項１】
柄及び膨張可能な領域を備える塗布体を有する化粧料の塗布具であって、塗布体内部に流体を有し、塗布体内の流体を押圧する加圧機構を有する塗布具。
【請求項２】
塗布体が膨張可能部分と非膨張部分を備える中空部材である請求項１記載の塗布具。
【請求項３】
非膨張部分の厚さが、膨張可能部分の厚さより肉厚である請求項２記載の塗布具。
【請求項４】
膨張可能部分の材料が、非膨張部分の材料より柔らかい請求項２又は３記載の塗布具。
【請求項５】
塗布体が、膨張可能な表面部材と、非膨張性の芯材を有する請求項１記載の塗布具。
【請求項６】
塗布体が、開口部を有する非膨張性の外側部材と、該外側部材の内側に取り付けられた膨張可能な内側部材を有し、内側部材内に流体を有している請求項１記載の塗布具。
【請求項７】
塗布体が、非膨張性の枠状の外側部材と、該枠状の外側部材の内側に取り付けられた膨張可能な内側部材を有し、内側部材内に流体を有している請求項１記載の塗布具。
【請求項８】
有底筒状の容器本体、容器本体内に設けられたしごき部、及び容器本体のキャップを備えた化粧料容器であって、キャップが請求項１〜７のいずれかに記載の塗布具を有する化粧料容器。
【発明の詳細な説明】
【技術分野】
【０００１】
本発明は、化粧料の塗布具に関する。
【背景技術】
【０００２】
従来、液状又はペースト状のマスカラ、アイライナー、口紅、リップグロス等の化粧料は、それを充填した容器本体と、容器本体のキャップと一体になった塗布具とが組み合わされた化粧品の形態で広く使用されている。通常、このような化粧料の塗布具は、軸体の一端に容器本体に挿入可能に形成されたブラシ、刷毛、チップ等の塗布体を有し、容器本体内に挿入されているときに化粧料に浸る。容器本体は、該容器本体から抜き出した塗布体及び柄に付着している余分な化粧料をしごき落とせるように口部近傍にしごき部を有する。そのため、殆どの塗布体は円柱形状、浅い凹部を有する板状形状等のしごき部を通る形状及び大きさに成形されている。
【０００３】
これに対し、塗布体を撓ませてその外形に曲線部や屈曲部を形成可能とすることで、まつ毛全体へのマスカラの塗布だけでなく、細かい塗布作業を容易にすることが提案されている（特許文献１、２）。
【先行技術文献】
【特許文献】
【０００４】
【特許文献１】特開２０１２−１７０５６９号公報
【特許文献２】特開２０１４−２００５０７号公報
【発明の概要】
【発明が解決しようとする課題】
【０００５】
ところで、柄の径より塗布体の径の方が大きい塗布具において、柄に付着している化粧料をしごき部によって取り除こうとする場合、塗布体表面に残存している化粧料もそれ以上に取り除かれてしまうため、塗布体に多量の化粧料を残存させることができない。また、塗布体表面に凹部を形成し、該凹部に化粧料を残存させることが行われているが、この場合、凹部を深くすればするほど、化粧料の残存量は多くなるものの凹部に入り込んだ化粧料を塗布時に取り出すことが困難となるため、結局化粧品のユーザーが引き続き化粧料を被塗布部に塗布したい場合には、塗布体を再度容器本体内に挿入して塗布体に化粧料を付着させる操作が必要になる。
【０００６】
これに対し、本発明は、容器本体内の化粧料に浸すことにより塗布体に付着させた化粧料を最大限余すことなく使用できるようにすることを課題とする。
【課題を解決するための手段】
【０００７】
本発明者は、液状ないしペースト状の化粧料を付着させる塗布体を膨張可能に形成しておき、非膨張状態で塗布体表面に付着している化粧料を塗布した後に塗布体内部に流体を押し込むことで塗布体を膨張させると、塗布体に残存している化粧料が使用しやすくなることを見出し、本発明を想到した。
【０００８】
即ち、本発明は、柄及び膨張可能な領域を備える塗布体を有する化粧料の塗布具であって、塗布体内部に流体を有し、塗布体内の流体を押圧する加圧機構を有する塗布具に関する。
【０００９】
また本発明は、有底筒状の容器本体、容器本体内に設けられたしごき部、及び容器本体のキャップを備えた化粧料容器であって、キャップが上述の塗布具を有する化粧料容器に関する。
【発明の効果】
【００１０】
本発明によれば、塗布体表面に付着している化粧料を塗布体の非膨張状態で被塗布部に塗布した後、塗布体の凹部、溝等に残存するが使用しにくい化粧料を、塗布体を膨張させることで使用し易くする。したがって、塗布体に付着した化粧料を最大限余すことなく使用することが可能となる。
【図面の簡単な説明】
【００１１】
【図１Ａ】図１Ａは、実施例の化粧料容器１Ａの断面図である。
【図１Ｂ】図１Ｂは、非膨張状態の塗布体２０Ａの斜視図である。
【図２】図２は、容器本体からキャップを外した状態の化粧料容器１Ａの、塗布体２０Ａが非膨張状態の斜視図である。
【図３Ａ】図３Ａは、塗布具１０Ａの塗布体２０Ａの膨張状態の斜視図である。
【図３Ｂ】図３Ｂは、膨張状態の塗布体２０Ａの斜視図である。
【図４Ａ】図４Ａは、実施例の塗布体２０Ｂの非膨張状態の断面図である。
【図４Ｂ】図４Ｂは、実施例の塗布体２０Ｂの非膨張状態の斜視図である。
【図５Ａ】図５Ａは、実施例の塗布体２０Ｂの膨張状態の断面図である。
【図５Ｂ】図５Ｂは、実施例の塗布体２０Ｂの膨張状態の斜視図である。
【図６Ａ】図６Ａは、実施例の塗布体２０Ｃの非膨張状態の断面図である。
【図６Ｂ】図６Ｂは、実施例の塗布体２０Ｃの非膨張状態の斜視図である。
【図７Ａ】図７Ａは、実施例の塗布体２０Ｃの膨張状態の断面図である。
【図７Ｂ】図７Ｂは、実施例の塗布体２０Ｃの膨張状態の斜視図である。
【図８Ａ】図８Ａは、実施例の塗布体２０Ｄの非膨張状態の断面図である。
【図８Ｂ】図８Ｂは、実施例の塗布体２０Ｄの非膨張状態の斜視図である。
【図９Ａ】図９Ａは、実施例の塗布体２０Ｄの膨張状態の断面図である。
【図９Ｂ】図９Ｂは、実施例の塗布体２０Ｄの膨張状態の斜視図である。
【図１０Ａ】図１０Ａは、実施例の塗布具１０Ｂの塗布体２０Ａが非膨張状態の断面図である。
【図１０Ｂ】図１０Ｂは、実施例の塗布具１０Ｂの塗布体２０Ａが膨張状態の断面図である。
【図１１Ａ】図１１Ａは、実施例の塗布具１０Ｃの塗布体２０Ａが非膨張状態の部分切欠き断面図である。
【図１１Ｂ】図１１Ｂは、実施例の塗布具１０Ｃの塗布体２０Ａが膨張状態の部分切欠き断面図である。
【図１２Ａ】図１２Ａは、実施例の塗布具１０Ｄの塗布体２０Ａが非膨張状態の断面図である。
【図１２Ｂ】図１２Ｂは、実施例の塗布具１０Ｄの塗布体２０Ａが膨張状態の断面図である。
【図１３Ａ】図１３Ａは、実施例の塗布具１０Ｅの塗布体２０Ａが非膨張状態の断面図である。
【図１３Ｂ】図１３Ｂは、実施例の塗布具１０Ｅの塗布体２０Ａが膨張状態の断面図である。
【図１４】図１４は、実施例の化粧料容器１Ｂの断面図である。
【図１５Ａ】図１５Ａは、実施例の化粧料容器１Ｃの塗布体２０Ａの非膨張状態の断面図である。
【図１５Ｂ】図１５Ｂは、実施例の化粧料容器１Ｃの塗布体２０Ａの膨張状態の断面図である。
【図１６】図１６は、ジャー容器に収容された塗布具の斜視図である。
【発明を実施するための形態】
【００１２】
以下、図面を参照しつつ本発明を詳細に説明する。なお、各図中同一符号は、同一又は同等の構成要素を表している。
【００１３】
図１Ａは、本発明の一実施例の化粧料容器１Ａであって、化粧料Ａが充填されている容器本体２をキャップ４で閉じた状態の断面図であり、図１Ｂは、化粧料容器１Ａに設けられた、非膨張状態の塗布体２０Ａの斜視図である。図２は、容器本体２からキャップ４を外した状態の化粧料容器１Ａの、塗布体２０Ａが非膨張状態の斜視図である。図３Ａは、塗布体２０Ａが膨張状態の塗布具１０Ａの断面図であり、図３Ｂは、その塗布体２０Ａの斜視図である。
【００１４】
この化粧料容器１Ａは、液状口紅、リップグロス等の液状又はペースト状の化粧料Ａが収容される有底筒状の容器本体２、容器本体２内に設けられたしごき部３、及び容器本体２に着脱自在に取り付けられたキャップ４を備える。キャップ４は化粧料の塗布具１０Ａを有し、キャップ４と塗布具１０Ａとが一体になっている。
【００１５】
塗布具１０Ａは、筒状の柄１１、柄１１の一端に設けられた塗布体２０Ａ、柄１１の他端に設けられた加圧機構４０を備え、塗布体２０Ａ及び柄１１の内部に水、油等の流体Ｂが充填されており、好ましくは満充填されている。
【００１６】
より具体的には、塗布体２０Ａは、ポリブチレンテレフタレート、ポリアセタール、ナイロン、ポリプロピレン、ポリエチレンテレフタレート、ポリエチレン等の弾性材料で一体成形された中空の成形品である。塗布体２０Ａの外形はチップ状で、正面２１は湾曲して凹部となっている。
【００１７】
正面２１は塗布体２０Ａにおける膨張可能な領域となっており、塗布体２０Ａの背面２２や側面２３に比して薄肉で、例えば厚さ０．０５〜１．０ｍｍに成形されている。そのため、加圧機構４０により塗布体２０Ａの内圧が高められると、図３Ａ、図３Ｂに示すように膨張する。一方、背面２２及び側面２３は正面２１に比して肉厚で、例えば厚さ０．１〜２．０ｍｍに成形されており、塗布体２０Ａの内圧が、正面２１が膨張する大きさになっても背面２２及び側面２３は当初の形状を維持する非膨張部分となっている。また正面２１の材料と、背面２２及び側面２３の材料を異なるものとし、正面２１を、背面２２及び側面２３よりも柔らかい材料とすることで、背面２２及び側面２３は当初の形状を維持した状態で、正面２１を膨張させることも可能であり、この場合は、正面２１と、背面２２及び側面２３とを同じ厚さとすることも可能である。
【００１８】
塗布体２０Ａの正面２１、背面２２及び側面２３の表面には、化粧料Ａの保持性を高めるため、皺加工、フロッキー加工、ディンプル加工等の表面加工が施されていることが好ましい。これにより、容器本体２に充填されている化粧料Ａへの塗布体２０Ａの一度の浸漬により、塗布体２０Ａが非膨張状態において被塗布部に塗布可能となる化粧料Ａの量を増加できるだけでなく、塗布体２０Ａが膨張状態において塗布可能となる化粧料Ａの量を増加させることができる。また、このような表面加工が施されていなくても、塗布体２０Ａの非膨張状態において、表面が収縮することにより皺（溝）が形成されるものも好ましい態様としてあげることができる。
【００１９】
塗布体２０Ａの柄１１側の端部２４は筒状の柄１１の一端に挿入され、固定されている。
【００２０】
一方、この塗布具１０Ａにおいて、加圧機構４０としては、ジャバラ式ピペット球と同様のジャバラ式押圧部４１が設けられている。ジャバラ式押圧部４１は、塗布具１０Ａの軸Ｌ１方向に加圧することによりジャバラが縮み、加圧を解除することにより縮んでいたジャバラが元の長さに復元するもので、ポリエチレン等の可撓性樹脂から形成することができる。ジャバラ式押圧部４１の内容積は、塗布体２０Ａの内容積を上回ることが好ましい。
なお、本実施例においてジャバラ式押圧部４１は、筒状の柄１１と一体成形されているが、ジャバラ式押圧部４１と柄１１を別部材から構成してもよい。
【００２１】
塗布体２０Ａ及び柄１１内に充填される流体Ｂとしては、水、油等の液体、空気等の気体をあげることができ、好ましくは、圧力損失の点から水、油をあげることができ、特に好ましくは、油をあげることができる。これらは、液体若しくは気体単独、又は液体及び気体を混合した状態で塗布体２０Ａ及び柄１１内に充填される。
【００２２】
この化粧料容器１Ａにおいて、容器本体２、しごき部３及びキャップ４については、化粧料を容器本体に収容し、塗布具を有するキャップで容器本体を閉じる公知の化粧料容器と同様にすることができる。
【００２３】
この化粧料容器１Ａは、次のように使用することができる。
まず、図１Ａに示すように、化粧料Ａが充填された容器本体２をキャップ４で閉じることにより、キャップ４に設けられている塗布具１０Ａの塗布体２０Ａを、容器本体２内の化粧料Ａに浸漬させる。次に、図２に示すように容器本体２からキャップ４を外し、塗布具１０Ａを引き抜く。これにより、容器本体２の口部近傍にあるしごき部３によって塗布具１０Ａの柄１１及び塗布体２０Ａに付着していた余分な化粧料Ａが扱き落とされ、塗布体２０Ａの表面に適量の化粧料Ａが残されるので、ユーザーはこれを被塗布部に塗布する。この化粧料Ａの塗布後にも塗布体２０Ａの凹部や溝部には化粧料Ａが残存し易く、特に本実施例の塗布体２０Ａでは凹部になっている正面２１に化粧Ａが残存し易いが、通常の塗布方法では凹部や溝部に残存している化粧料Ａを被塗布部への塗布に使用することは困難である。そこで、図３Ａ、図３Ｂに示すように、ジャバラ式押圧部４１を押し込み、塗布体２０Ａの内圧を高め、凹んでいた薄肉の正面２１を膨張させる。これにより、塗布体２０Ａの正面２１の凹みに溜まっていた化粧料Ａを容易に使用することができる。よって、塗布体２０Ａに化粧料Ａを付着させるために、塗布体２０Ａを容器本体２内に挿入する頻度を減らすことができる。
【００２４】
本発明において、塗布体や加圧機構はそれぞれ種々の構成をとることができる。
例えば図４Ａ、図４Ｂに示す塗布体２０Ｂは、膨張可能な領域として形成された表面部材２５と、表面部材２５の内部に設けられた非膨張性の芯材２６から形成したものである。
【００２５】
表面部材２５は、塗布体２０Ｂの表面全体をなし、例えば厚さ０．０５〜１．０ｍｍのポリブチレンテレフタレート、ポリアセタール、ナイロン、ポリプロピレン、ポリエチレンテレフタレート、ポリエチレン等の弾性材料から形成することができる。また表面部材２５には、全体的に化粧料の保持性を高める皺加工、フロッキー加工、ディンプル加工等の表面加工が施される。
【００２６】
非膨張性の芯材２６は、外形がチップ状であり、非膨張状態の塗布体２０Ｂの外形を規定している。芯材２６には、表面部材２５の内部と加圧機構（図示せず）とを連通させる流路２７が一体に形成されている。
【００２７】
塗布体２０Ｂ内部には上述の塗布体２０Ａと同様に流体が充填されている。加圧機構により塗布体２０Ｂ内にさらに流体Ｂを押し込んで塗布体２０Ｂの内圧を高めると、図５Ａ、図５Ｂに示したように表面部材２５が全体的に膨張する。そこで、膨張前には表面部材２５の表面加工の溝に保持されていた化粧料Ａが膨張後には露出し、被塗布部への塗布に容易に使用できるようになる。
【００２８】
図６Ａ、図６Ｂに示す塗布体２０Ｃは、正面に開口部２８を有する非膨張性の外側部材２９と、該外側部材２９の内側に取り付けられた膨張可能な内側部材３０から形成されており、開口部２８において内側部材３０が露出している。この内側部材３０は、図１Ａに示した塗布体２０Ａの正面２１と同様の薄肉の弾性材料から形成することができる。また、外側部材２９と内側部材３０は、それらが重なり合っている部分で接着されている。尚、ここで接着とは、融着、溶着、接着剤等の粘着性の物質を介した接着、嵌合、カシメ等により複数の部材を固定することをいう。
【００２９】
塗布体２０Ｃの内部には流体が充填されており、加圧機構により塗布体２０Ｃの内圧を高めると、図７Ａ、図７Ｂに示したように開口部２８において内側部材３０が膨張する。そこで、膨張前に内側部材３０の溝、凹部等に保持されており、容易に使用できなかった化粧料Ａが、膨張後には被塗布部への塗布に容易に使用できるようになる。
【００３０】
なお、この塗布体２０Ｃは、図１Ａに示した塗布体２０Ａと膨張前及び膨張後の外形がそれぞれ似ているが、塗布体２０Ｃを外側部材２９と内側部材３０の２部品から形成することで、膨張可能部分と非膨張部分の膨張性の差異を大きくすることができる。
【００３１】
図８Ａ、図８Ｂに示す塗布体２０Ｄは、図６Ａ、図６Ｂに示した塗布体２０Ｃにおいて、外側部材２９の正面に開口部２８を設けただけでなく、背面にも開口部３１を設けることにより外側部材を枠状とし、これらの開口部２８、３１で内側部材を露出させたものである。
【００３２】
この塗布体２０Ｄの内圧を加圧機構により高めると、図９Ａ、図９Ｂに示したように開口部２８、３１において内側部材３０が膨張し、膨張前に内側部材３０の凹部、溝等に保持されて容易に使用できなかった化粧料Ａが、膨張後には容易に使用できるようになる。
このように塗布体２０Ｄの正面及び背面を膨張可能とすると、両面を用いることができるため、１回の動作でより多くの化粧料Ａを塗布することができる。
【００３３】
図１０Ａに示す塗布具１０Ｂは、図１Ａに示した塗布具１０Ａにおいて、キャップ４の周壁をジャバラ式押圧部４１の軸方向に筒状に延長し、その延長した周壁５でジャバラ式押圧部４１からなる加圧機構４０の周面を囲んだものである。この塗布具１０Ｂでは、塗布体２０Ａを膨張させるときには周壁５の上部開口からジャバラ式押圧部４１を押し込み、図１０Ｂに示したように、ジャバラ式押圧部４１を周壁５内で縮める。このように加圧機構４０の周面をキャップ４の周壁５で囲むとジャバラ式押圧部４１にかかる外力をその軸方向に規制できることにより押し込み方向が安定するので好ましい。
【００３４】
図１１Ａに示す塗布具１０Ｃは、図１Ａに示した塗布具１０Ａにおいて、キャップ４の周壁をジャバラ式押圧部４１の軸方向に延長し、その延長した周壁５でジャバラ式押圧部４１の周面を囲むと共に、ジャバラ式押圧部４１の上面を天壁６で囲み、天壁６から横断面が略半円状の摺動壁７を延設させ、一方、ジャバラ式押圧部４１の上面に、天壁６を貫通するピストン状の押圧棒４２を起立させ、押圧棒４２の上端にフランジ４３を設け、フランジ４３が摺動壁７に沿ってジャバラ式押圧部４１の軸方向に移動できるように、摺動壁７に溝７ａを設けたものである。
【００３５】
この塗布具１０Ｃによれば、図１１Ｂに示したように、ジャバラ式押圧部４１を押し込むフランジ４３が天壁６の外側にあるので、フランジ４３を押し込み易く、且つ、フランジ４３は摺動壁７に沿って移動するので押し込み方向が安定する。
【００３６】
図１２Ａに示す塗布具１０Ｄは、図１Ａに示した塗布具１０Ａにおいて、キャップ４の周壁をジャバラ式押圧部４１の軸方向に延長し、その延長した周壁５でジャバラ式押圧部４１の周面を囲むと共に、ジャバラ式押圧部４１の上面を天壁６で囲み、周壁５にジャバラ式押圧部４１の軸方向に延びたスリット５ａを設け、一方、ジャバラ式押圧部４１の上面に、押圧用釦４４を有するスライダー４５を設け、スライダー４５の押圧用釦４４をスリット５ａから周壁５の外側に突出させたものである。
【００３７】
この塗布具１０Ｄによれば、図１２Ｂに示すように、周壁５の外側に突出した押圧用釦４４をスリット５ａに沿って押し下げることによりジャバラ式押圧部４１を周壁５内で縮めることができる。よって、この塗布具１０Ｄにおいても押圧用釦４４を押し下げ易く、また、押し込み方向が安定する。
【００３８】
図１３Ａに示す塗布具１０Ｅは、柄１１に対してジャバラ式押圧部４１を、その押し込み方向が略直交するように取り付け、キャップ４の周壁を延長した周壁５と天壁６でジャバラ式押圧部４１の柄１１に対する取り付け部分を覆い、その周壁５にジャバラ式押圧部４１を突出させる開口５ｂを設けたものである。
【００３９】
この塗布具１０Ｅによれば、柄１１に対してジャバラ式押圧部４１の押し込み方向を直交させているので、塗布具１０Ｅ全体としての長手方向の寸法を短尺にすることができ、携帯性に優れ、また操作性においても優れる。
【００４０】
一方、本発明の塗布具に設ける加圧機構としては、前述のジャバラ式押圧部４１に代えて、例えば図１４に示す化粧料容器１Ｂのように、ゴム球式ピペット球と同様のゴム球式押圧部４６を設けてもよく、図１５Ａ、図１５Ｂに示す化粧料容器１Ｃのように、ピストン式押圧部５０を設けてもよい。なお、図１４、図１５Ａ、図１５Ｂには、図１に示した化粧料容器１Ａにおいて、ジャバラ式押圧部４１をゴム球式押圧部４６、ピストン式押圧部５０に変更した例を示した。
【００４１】
ピストン式押圧部５０では、塗布体２０Ａ内が過度に加圧されて塗布体２０Ａが破損することを防止するため、柄１１内におけるピストン５１の可動域５２が、筒状の柄１１の内径の広狭により規制されている。
【００４２】
また、ピストン５１の可動域５２には、ピストン５１を押し込み前の位置に戻す方向に付勢するバネ材５３が設けられている。これにより、図１５Ｂに示すように、ピストン５１を塗布体２０Ａ側に押し込んだ後、押し込みを解除すると、ピストン５１は図１５Ａに示した押し込み前の位置に速やかに戻る。
【００４３】
ピストン式押圧部５０には、ピストン５１の押し込み状態を保持するロック機構を設けてもよい。
【００４４】
この他、加圧機構として、繰り出し機構、ポンプ機構などにより塗布体内に流体を押し込む機構を設けてもよい。
【００４５】
本発明の塗布具は、塗布体自体の大きさに制限はなく、口紅、リップグロス、コンシーラー、美容液、マッサージクリーム、マッサージオイル、エッセンスオイル、マスカラ、アイライナー、アイシャドー等種々の液状又はペースト状化粧料の塗布具として有用である。例えば、図１６に示すように、ペースト状マッサージクリームが充填されているジャー容器６０の内蓋６１と外蓋６２の間に本発明の塗布具１０を収容し、マッサージクリームの塗布に使用することができる。
【００４６】
ジャー容器６０に充填されている化粧料の塗布に本発明の塗布具１０を使用する場合、例えば、まず塗布体２０を化粧料に浸して塗布体２０に化粧料を付着させ、ジャー容器の口部の壁になどに擦りつけて塗布体２０から余分な化粧料を落とし、塗布体２０の表面に残った化粧料を使用する。そして、引き続き化粧料を使用するときには、加圧機構４０で塗布体２０を膨張させることにより、塗布体２０の凹部や溝などに残っている化粧料を使用することができる。
【符号の説明】
【００４７】
１Ａ、１Ｂ、１Ｃ  化粧料容器
２    容器本体
３    しごき部
４    キャップ
５    周壁
５ａ  スリット
５ｂ  開口
６    天壁
７    摺動壁
７ａ    溝
１０、１０Ａ、１０Ｂ、１０Ｃ、１０Ｄ、１０Ｅ  塗布具
１１    柄
２０、２０Ａ、２０Ｂ、２０Ｃ  塗布体
２１    湾曲面（正面）
２２    背面
２３    側面
２４    端部
２５    表面部材
２６    芯材
２７    流路
２８、３１    開口部
２９    外側部材
３０    内側部材
４０    加圧機構
４１    ジャバラ式押圧部
４２    押圧棒
４３    フランジ
４４    押圧用釦
４５    スライダー
４６    ゴム球式押圧部
５０    ピストン式押圧部
５１    ピストン
５２    可動域
５３    バネ材
６０    ジャー容器
６１    内蓋
６２    外蓋
Ａ    化粧料
Ｂ  流体
Ｌ１  軸
【図１Ａ】
2017042299.tif 000003
【図１Ｂ】
2017042299.tif 000004
【図２】
2017042299.tif 000005
【図３Ａ】
2017042299.tif 000006
【図３Ｂ】
2017042299.tif 000007
【図４Ａ】
2017042299.tif 000008
【図４Ｂ】
2017042299.tif 000009
【図５Ａ】
2017042299.tif 000010
【図５Ｂ】
2017042299.tif 000011
【図６Ａ】
2017042299.tif 000012
【図６Ｂ】
2017042299.tif 000013
【図７Ａ】
2017042299.tif 000014
【図７Ｂ】
2017042299.tif 000015
【図８Ａ】
2017042299.tif 000016
【図８Ｂ】
2017042299.tif 000017
【図９Ａ】
2017042299.tif 000018
【図９Ｂ】
2017042299.tif 000019
【図１０Ａ】
2017042299.tif 000020
【図１０Ｂ】
2017042299.tif 000021
【図１１Ａ】
2017042299.tif 000022
【図１１Ｂ】
2017042299.tif 000023
【図１２Ａ】
2017042299.tif 000024
【図１２Ｂ】
2017042299.tif 000025
【図１３Ａ】
2017042299.tif 000026
【図１３Ｂ】
2017042299.tif 000027
【図１４】
2017042299.tif 000028
【図１５Ａ】
2017042299.tif 000029
【図１５Ｂ】
2017042299.tif 000030
【図１６】
2017042299.tif 000031